(57)【要約】      （修正有）【課題】簡易な電子セキュリティ・システムの提供。【解決手段】複数の電子保安装置を備え、これら装置の各々は電子信号を受けて復号して、電子保安装置の機能を管理する入出力モジュールを備えている。このシステムは、また電源モジュールをも備えている。電源モジュールは、送電線を通じて複数の電子保安装置に電力および変調命令を送る。一旦、電源モジュールがシステムのための所望の機能でプログラムされると、それは、送電線を通じて信号を種々の保安装置のＩ／Ｏモジュールに送り、所望の機能に従ってそれらをプログラムする。各装置へ行く送電線が通るバスが装置間の通信信号を制御する。本発明は、送電線を利用して保安システムの各装置への信号通信の制御を行うので、システムが簡単になり、保守およびシステムの変更に特殊な専門家を常駐させる必要がなくなるなどの効果がある。【選択図】図１
2005332406.tif 000002
【特許請求の範囲】
【請求項１】
各々が電子信号を受けて復号し、電子保安システムの機能を管理する入出力モジュールを含む複数の電子保安システム、および送電線を通じて電力を複数の電子保安システムに送る電源を備え、前記電源は、システムの機能を命令するプログラムを含む電源モジュールを備え、前記電源モジュールは、送電線を通じて入出力モジュールとの間で信号を送受することを特徴とする電子保安システム。
【請求項２】
プログラム・ツールからの情報を電源モジュールへ通信するために電源モジュールに対して接続および遮断可能なプログラム・ツールを備える請求項１のシステム。
【請求項３】
プログラム・ツールは、携帯デバイスである請求項２のシステム。
【請求項４】
前記通信情報は、プログラムおよび命令の少なくとも一つから成る請求項２のシステム。
【請求項５】
前記プログラム・ツールは、前記電子保安システムにアクセスして制御するように環境設定されたアクセス・画面をさらに備える請求項２のシステム。
【請求項６】
情報をプログラム・ツールから電源モジュールへ通信するために送電線に対して接続および遮断可能なプログラム・ツールを更に備える請求項１のシステム。
【請求項７】
前記プログラム・ツールは、携帯デバイスである請求項６のシステム。
【請求項８】
前記通信情報は、プログラムおよび命令の少なくとも一つから成る請求項６のシステム。
【請求項９】
前記プログラム・ツールは、前記電子保安システムにアクセスして制御するように環境設定されたアクセス画面をさらに備える請求項６のシステム
【請求項１０】
前記電源が電源を外部周辺装置に接続できるようにする通信ポートを備える請求項１のシステム。
【請求項１１】
前記外部周辺装置がコンピュータ、プリンタ、およびモニタの中の一つを含む請求項１０のシステム。
【請求項１２】
前記電源モジュールが前記電源モジュールを他の電子保安システムの電源モジュールに接続して該電源モジュールと通信できるようにする多重電源モジュール・インターフェイスを備える請求項１のシステム。
【請求項１３】
前記電源モジュールと無線で通信するように環境設定されたプログラム・ツールを更に備える請求項１のシステム。
【請求項１４】
電源モジュールを有する電源を設置するステップ、二つの端子を第１の電子保安システムの電源に電気的に正確に接続するステップ、二つの端子を第２の電子保安システムの電源に電気的に正確に接続するステップ、およびプログラムを電源モジュールに第１および第２の電子保安システムの機能を環境設定するようにアップロードするステップからなる電子保安システムを設定する方法  。
【請求項１５】
前記電源モジュールにプログラムをアップロードするステップは、コンピュータを電源モジュールに電気的に接続することから成る請求項１４の方法。
【請求項１６】
前記コンピュータが携帯コンピュータである請求項１５の方法。
【請求項１７】
前記携帯コンピュータは、携帯情報端末パームトップ・コンピュータおよびポケット・パソコン（「ＰＣ」）の中の一つから成る請求項１６の方法。
【請求項１８】
前記電源モジュール（「ＰＳＭ」）にプログラムをアップロードするステップは、無線でプログラムをＰＳＭに通信することから成る請求項１４の方法。
【請求項１９】
前記電源モジュールは、前記電源モジュールを他の電子保安システムに接続して該電源モジュールと通信できるようにする多重電源モジュール・インターフェイスを備える請求項１４の方法
【請求項２０】
第１および第２の保安装置の内の少なくとも一つをプログラム・ツールで制御するステップを更に含む請求項１４の方法。
【請求項２１】
環境設定ツールを第１のプログラマブル電子保安システムの電子保安システムに電気的に接続し、機能プログラムを第１のプログラマブル電子保安システムから環境設定ツールにダウンロードするステップ、電子保安システムから環境設定ツールを分離するステップ、および第１のプログラマブル電子保安システムの機能プログラムを前記環境設定ツールから第２のプログラマブル電子保安システムにアップロードするステップから成るプログラマブル電子保安システムを設定する方法。
【請求項２２】
前記環境設定ツールが携帯コンピュータである請求項２１の方法。
【請求項２３】
前記携帯コンピュータがパーソナル携帯情報端末器、パームトップ・コンピュータ、およびポケットＰＣの中の一つから成る請求項２２の方法。
【請求項２４】
前記環境設定ツールがパソコンである請求項２１の方法。
【請求項２５】
第１のプログラムをＰＳＭにアップロードするステップは、プログラムを無線でＰＳＭに通信することから成る請求項２１の方法。
【請求項２６】
環境設定ツールを有する保安装置の少なくとも一つを制御するステップを更に含む請求項２１の方法。
【請求項２７】
正確に二つの電源端子を有する電源、各々が正確に二つの保安装置端子を有する複数の電子保安装置、前記電源の端子の一方および前記複数の電子保安システムの各々の端子の一方につなぎ合わされている第１の電線、および前記電源の端子の他方および前記複数の電子保安システムの各々の端子の他方につなぎ合わされている第２の電線を備えることを特徴とする電子保安システム。
【請求項２８】
情報をプログラム・ツールから前記電源の電源モジュールへ通信するために送電線に対して接続および遮断可能なプログラム・ツールを更に備える請求項２７のシステム。
【請求項２９】
プログラム・ツールは、携帯デバイスである請求項２８のシステム。
【請求項３０】
前記通信情報は、プログラムおよび命令の内の少なくとも一つから成る請求項２８のシステム。
【請求項３１】
前記プログラム・ツールは、前記電子保安装置の少なくとも一つにアクセスして制御するように構成されたアクセス画面をさらに備える請求項２８のシステム。
【請求項３２】
前記電源は、該電源を外部周辺装置に接続できるようにする通信ポートを備える請求項２７のシステム。
【請求項３３】
外部周辺装置は、コンピュータ、プリンタ、およびモニタの内の一つを含む請求項３２のシステム。
【請求項３４】
前記電源モジュールは、前記電源を他の電子保安システムの電源に接続して該電源と通信できるようにする多重電源インターフェイスを備える請求項２７のシステム。
【請求項３５】
無線で電源と通信するように構成されたプログラム・ツールを更に備える請求項２７のシステム。
【発明の詳細な説明】
【技術分野】
【０００１】
本発明は、電子保安システムに関し、特に、建物を安全にするために電子ロック及びその他の保安装置を使用する保安システムに関する。
【０００２】
従来の電子保安システムが電子ドアロック、警音器、アクセス制御読取り装置、検出装置、その他を用いて建物の安全を図っている。代表的な電子保安システムは、建物のいたる所の種々の出入口にこれらの保安装置の一つ以上を組み合わせている。従来のシステムでは、これらのセキュリティ製品は、要求される特定のセキュリティおよび安全の解決を達成するために独特のやり方で配線されている。従来のシステムが要求される特定の機能に従って配線されなければならないので、そのようなシステムを構成することにかなりの量の経験が必要である。所望の機能を実行するためのハードウェアを選択したあと、システムが適正に機能するのを確実にするために電気関係の専門家が必要な回路を設計しなければならない。そのような回路は、複雑な配線図およびライザ線図を発生させることが多い。従って、システムの最初の段取りが複雑なだけでなく、また、システムを変更する場合、回路は別の電気関係の専門家によって理解されて手直しされなければならない。そのようなシステムにおいて作動するハードウェア構成要素は複雑なことが多く、所望の機能に合う特定の製品を決めるためにハードウェアの専門家を必要とする。
【０００３】
代表的な電子保安システムの一般的な機能は、強制的侵入があるとすぐアラームを鳴らすこと、適正な証明書を所有する人々にアクセスを限ることおよびドアがあまり長く開いたままであるかまたは正しく閉まっていない場合、アラームを鳴らすことを含む。他の一般的な電子保安システムの機能は、所定の時刻に開けることができるドアの数を制限すること（連動装置）および居住者を建物内に選択された時間の間拘束するかまたは遠隔位置からドアの錠を開閉するように特定の動作に時間調整値を適用することを含む。これらの機能を実行する従来の電子構造的な製品は、多くの電線または接続ポイントを有することがある。これらの構成要素およびそれらが所望の機能を実行するために配線されるべき方法を理解すると従来のシステムは益々複雑になる。上述のように、システムを変更することが常に要求される場合、複雑な問題が再び起こる。
【０００４】
最後に、そのような従来のシステムを理解するために必要な電気関係の専門知識に関してさえ、保安システムを特定の要求に合うように配線する単一の特定の解決法はない。従って、既存の電子保安システム（他人が組み立てた）の修理点検をする羽目になった専門家が最初にシステムを理解することにかなりの量の時間とエネルギーを費やさなければならない。電子保安システムの建物への普及がますます増えつつある。従来の電子保安システムを設計して据付けることができる専門家を雇っておくことは、時間の浪費で高くつく可能性がある。電子専門知識を必要とせずに容易に設置可能で構成可能な電子保安システムがこの種の保安システムのユーザに歓迎されてされるであろう。
【０００５】
本発明のあらゆる実施例を詳細に説明する前に、本発明は、それの願書における構成の詳細および以下の説明に記載されたまたは以下の図面に例示された構成要素の配置に制限されないと理解されるべきである。本発明は、他の実施態様が可能であり、種々の方法で実施または実行できる。また、本願明細書において用いられた語法および用語は説明のためであって、制限として見做されるべきでないと理解されるべきである。
【特許文献１】なし
【非特許文献１】なし
【発明の開示】
【発明が解決しようとする課題】
【０００６】
電子専門知識を必要とせずに容易に設置可能で構成可能な電子保安システムを提供することである。
【課題を解決するための手段】
【０００７】
本発明によれば、電子保安システムは、一連の送電線を通じて電源に電気的に連結された複数の保安装置を含む。各装置は、２本の電線で送電線に連結されている。それらの装置および電源は、また、通信信号を送受信するために送電線を利用する。
【０００８】
好ましい実施例において、各保安装置は、それを制御する入出力モジュール（「Ｉ／Ｏモジュール）を備えている。電源は、システムのためのマスター機能計画を受け入れる電源モジュール（「ＰＳＭ」）を備えている。一旦、ＰＳＭがシステムのための所望の機能でプログラムされると、それは、送電線を通じて信号を種々の保安装置のＩ／Ｏモジュールに送り、所望の機能に従ってそれらをプログラムする。各装置へ行く送電線が通るバスが装置間の通信信号を制御する。電子保安システムの装置は、各装置が中央接続点に結び付けられているスター形式、各装置がつなぎ合わされるデイジーチェーン配置、または両装置の組合せで構成されてもよい。
【発明の効果】
【０００９】
本発明は、送電線を利用して保安システムの各装置への信号通信の制御を行うので、システムが簡単になり、保守およびシステムの変更に特殊な専門家を常駐させる必要がなくなるなどの効果がある。
【００１０】
本発明の他の特徴および利点は、最良の実施形態の以下の詳細な説明を考察し現在認められているような本発明を実施する最良のモード例を例示するとき当業者に明らかとなろう。
【発明を実施するための最良の形態】
【００１１】
図１は、本発明による例示的な２−線電子保安システム１００のブロック図を示している。例示的な２−電線電子保安システム１００は、複数の２−電線バス１１６を通して入力出力モジュール（「ＩＯＭ」）１２０に繋がれた２−電線電源（「ＰＳ」）１０４を備えている。コンピュータ、個人ポケット・コンピュータまたは携帯コンピュータの形のプログラム・ツールまたは構成ツール１３２が直列リンク１３０を経て直接にまたは２−電線インターフェイス１３３およびバス１１６を通して間接的にＰＳ１０４に連結されてもよい。ＩＯＭ１２０は、複数の構造的装置または電子保安装置１０８に更に連結されている。保安装置１０８の例は、センサ、ホーン、シャーロック、磁気ロック、電気的受座、アクチュエータ、ボタン、運動センサ、ドア位置決めスイッチ、電気ロック、退出装置、机コンソール、モニタ受座、磁気スイッチ、キースイッチ、キーパッド、カード読み取り装置などを含む。
【００１２】
図示の実施形態では、装置１０８は、既存の非２−線装置である。その結果、外部のＩＯＭ１２０は、装置１０８およびバス１１６の間の結合を行い、したがってＰＳ１０４および装置１０８の間のデータの交換を可能にする。
【００１３】
装置１１０は、バス１１６に直接接続可能である２−線装置として示されている。すなわち、装置１１０は、２−線システム（例えばシステム１００）において用いられるように一般に特別に製造される。これらの装置１１０は、一般に図３に示されているような内部ＩＯＭ１２０を備えている。
【００１４】
図１に示すように、ＰＳ１０４は、また、システム１００の動作を管理するために構成された電源モジュール（「ＰＳＭ」）１１２を含む。図２に最もよく示されているように、ＰＳ１０４は、ＩＯＭ１２０を２−線バス１１６を介して管理し、それに通じている電源ＰＬＣモデムまたは電源モジュール（「ＰＳＭ」）１１２を備えている。構成信号または命令を運ぶほかに、２−電線バス１１６は、またＰＳ１０４からシステム１００内のＩＯＭ１２０へ電力を運ぶ。
【００１５】
ＰＳＭ１１２は、また、システム１００の残部によって時間基準として使うことができるタイミング回路兼パワー故障検出回路２６４を含む用途特定集積回路（「ＡＳＩＣ」）２６０を備えている。具体的には、パワー故障検出回路２６４は、入供給電圧レベルを検出またはモニタする。入供給電圧レベルが予め定められた値以下に下がる場合、ＡＳＩＣ２６０は切迫した停電を示す警告信号を発生する。
【００１６】
さらにＡＳＩＣ２６０はまた、システム１００を管理する構成のための内部メモリ２５２または外部メモリ２６２にアクセスする。ＡＳＩＣ２６０は最初にメモリ２５２または２６２からの環境設定を復号し、例えば周波数偏移キーイング変調などの方式を用いて環境設定付電力を処理して変調する。ＡＳＩＣ２６０は、次に環境設定被変調信号を増幅して緩衝処理をし,２−線バス１１６に出力する準備をする。次に、ＡＳＩＣ２６０は、２−線バス１１６を経て信号をＩＯＭ１２０に伝送する。しかし、伝送の他のシーケンスもまた可能である。
【００１７】
ＰＳＭ１１２は、また、ＡＳＩＣ２６０によって制御される２−線バス切替回路２６３を備えている。具体的には、ＡＳＩＣ２６０は、２−線バス・スイッチング回路２６３を介してバス１１６にある電力を制御する。例えば、パワーアップのときまたはＡＳＩＣ２６０がリセットされるとき、２−線バス・スイッチング回路２６３は、ＡＳＩＣ２６０によって切られ、リレーが開くようにされる。その結果、２−線バス１１６にＰＳ１０４によって与えられる電力はない。２−線バス・スイッチング回路２６３は、ＡＳＩＣ２６０が信号とともに電力を出力するとき、オンにされる。
【００１８】
図１および図２をもう一度参照すると、システム１００は、また、他の外部プロセッサおよび他の周辺機器を特種な目的（例えば追加の処理電力と特別な入力出力（「Ｉ／Ｏ」）の組合せなど）のためにＰＳＭ１１２に連結することを可能にする。例えば、ＰＳ１０４は、複数の直列周辺インターフェイス（「ＳＰＩ」）ポート１２４を備えている。各ポート１２４は、ＡＳＩＣ２６０からの選択された信号によって別々に選択される。さらにまた、ＰＳ１０４は、また、異なる電流電圧信号および異なるデータ転送速度を有する外部周辺機器を設けることができるように構成されている。
【００１９】
ＳＰＩポート１２４の一つは、ツイスト・ペア配線ネットワークを経て複数のＰＳＭ１０４の間の通信またはＰＳＭ対ＰＳＭ通信を可能にするように構成されているＰＳＭ対ＰＳＭ通信インターフェイスポート２３２を備えている。例えば、一つのシステムのＡＳＩＣ２６０は、ＰＳＭ１１２間の情報の比較的速い転送を可能にするためにＳＰＩポート１２４のＰＳＭ対ＰＳＭ通信ポート２３２を経て別のシステムのＡＳＩＣ２６０に連結できる。ＰＳＭ対ＰＳＭ通信インターフェイスポート２３２は、また  ＰＳＭ対ＰＳＭ通信インターフェイスポート・バス上に現れる可能性があるあらゆる低インピーダンス負荷を駆動するために必要な電力増幅を行う。
【００２０】
ＡＳＩＣ２６０は、ＰＳ１０４の直列ＴＴＬ・ ＲＳ−２３２ポート１３０を経てプログラムされるか、または製造プロセスにおいてプログラムされることができる。一旦プログラムがＡＳＩＣ２６０内にプログラムされて終うと、それは２−線バス１１６または直列ポート１３０を経てアップグレードされることができる。ＰＳＭ１１２および、特に、ＡＳＩＣ２６０のプログラミングは、以下に詳述する。
【００２１】
複数の入力フィルタ２６６がＡＳＩＣ２６０およびＰＳＭ対ＰＳＭ通信インターフェイスポート２３６を含むＳＰＩインターフェイスポート１２４に連結されている。入力フィルタ２６６は、ＡＳＩＣ２６０の入力における信号対雑音比を予め定められた周波数範囲外（例えば１１０ｋＨｚ〜１３０ｋＨｚの間）のどんなものも除去することによって大きくする。入力フィルタ２６６は、一般に４次のチェビシェフ型受動フィルタ（それの出力における１ｄＢ未満のリップルおよび約６ｄＢの減衰を有する）である。しかし、フィルタリング特性を満たすバターワース（Ｂｕｔｔｅｒｗｏｒｔｈ）・フィルタのようなフィルタもまた用いることができる。さらにまた、連結回路２６８は、インターフェイスポート１２４、２３２とＡＳＩＣ２６０の間をＳＰＩインターフェイスポート１２４の非分極を可能にするために橋絡する。
【００２２】
さらにまた、装置１０８、１１０は、一般に、ＰＳＭ１１２（以下に詳述する）またはプログラム・ツール１３２によって構成される。例えば、他のＰＳＭまたはプログラム・ツールがＳＰＩ１２４を経てＰＳＭ１１２にアクセスできる。
一旦アクセスができるようにされると、ＰＳＭ１１２内に記憶されたシステム構成および他のシステム診断動作を更新し、実行できる。
【００２３】
図１を参照すると、システム１００は、また、装置１０８または１１０をシステム１００にどんなプログラム・ツールをも必要とすることなく加えることを考慮に入れている。具体的には、ＰＳＭ１１２は、自動的に新たな装置（例えば装置１１０）の存在を検出して、新たな装置を構成する。また図２に示されているように、ＰＳＭ１１２を組み込んでいる電源１０４は、新たな装置の存在を検出することおよびユーザによって要求された特定の機能に従って新規な装置を構成することなどの機能を備えている。
【００２４】
ＰＳ１０４（図２に示された）は、交流（「ＡＣ」）入力ポート２０４並びに種々の装置（例えば、図１における装置１０８および１１０）および他の電源（図４に関して後述する）と連絡するように構成された複数の主出力ポートを備えている。例えば、ＰＳ１０４は、２−線出力ポート２１２を備え、それを通してＰＳＭ１１２がバス１１６（図１）に連結されている。より詳しくいえば、２−線出力ポート２１２は、正確に二つの端子を備えている。各端子は、ＩＯＭ１２０と１１０を経て装置１０８の入力端子に連結されている。残りのＳＰＩ通信ポート１２４は、ＰＳ１０４を他のネットワークに連結するように構成され、ポケット・パソコン（「ｐｐｃ」）のポート２４４がＰＳ１０４を携帯装置（例えばｐｐｃ）に連結するように構成されている。具体的には、ｐｐｃポート２４４は、直列データまたはプログラミング命令を入れることができる直列ポート１３０以外のルートを与える。簡単に前述したように、ＰＳＭ１１２は、また、どんな装置１０８、１１０およびＩＯＭ１２０がシステム１００にあるかに関する情報を記憶するメモリ領域２５２を備えている。
【００２５】
一旦ＰＳ１０４がＡＣ入力ポート２０４を通して電力を供給されると、ＡＣ入力ＬＥＤ２２０が点灯されてＰＳ１０４が電力を供給されていることを示す。変圧器２２４がＡＣ入力ポート２０４に連結されて、多重出力を与える。各変圧器出力は、特定のＡＣ電圧を与える。ＡＣ電圧は、その後複数の直流（「ＤＣ」）電圧を得るために更に整流され、それは電源１０４の残りに供給される。
電池ボード２２８がその上にある充電可能な電池を充電している間連続的にＡＣ電力入力をモニタする。電池ボード２２８は、ＡＣ電力入力が中断された場合に、充電可能な電池を経て電力をＰＳＭ１１２に供給する。
【００２６】
ＰＳＭ１１２は、また、データ・ロギングの能力がある。各ＰＳＭ１１２は、システム・データを時限記録するために確保されたメモリ２５２または２６２のセグメントを有する。記録されるべきデータの種類には、入力変更、出力変更、パスワード変更、ＰＳＭリセット、故障などがある。例えば、装置１０８にある入力値を変えるとき、日時、対応する暦年、装置の通し番号および新しい入力値などのデータが予約メモリ内に記録される。あるパスワード（すなわち、特定の装置、総合的なネットワーク・パスワード、その他のためのパスワード）を変える場合、パスワードを変える日時、対応する暦年およびパスワードは、メモリ２５２または２６２に記憶される。ＰＳＭ１１２がリセットされた場合、ＰＳＭ１１２がリセットされる日時および対応する暦年に加えて、予約メモリは、また、リセットされるＰＳＭをリセットする原因を記憶する。当業者にはすぐ分かるように、他のデータもまた必要に応じて記録できる。
【００２７】
いくつかの種類のＩＯＭ１２０が、システム１００に使われている、例えば標準のＩＯＭ（「ＳＩＯＭ」）と高電流ＩＯＭ（「ＨＩＯＭ」）。ＳＩＯＭとＨＩＯＭなどの装置を記載する一般的なＩＯＭシステムブロック３００が図３に示されている。一般的なＩＯＭシステム３００は、既存の装置１０８に連結するように構成された単独のＩＯＭまたはシステム１００のために特に開発された装置１１０に内蔵されているかのどちらでもよい。ＩＯＭ１２０は、複数の入力端子３０４と出力端子３０８を備えている。入力３０４は、通常、保安装置（例えばセンサ、アクチュエータ、ボタン、運動センサ、ドア位置決めスイッチ、等）に連結されている。大部分の低電流装置の場合は、標準のモジュール（「ＳＩＯＭ」）は、ＩＯＭとして働いて装置を２−線バス１１６に連結するように構成されるであろう。ハイパワーモジュール（「ＨＩＯＭ）（１６アンペアの突入電流に耐える）がある種の高電流装置を駆動するためのＩＯＭとして用いられるであろう。システム１００によってサポートされる他の種類のＩＯＭ装置は、多数の入力と出力を与える大量ＩＯＭを含む。さらに、ＩＯＭ  １２０はそれの電力とプログラム信号を２−線バス１１６および２−線電線または２−線入力端子３３４を経て受ける。
【００２８】
システム１００にあるあらゆるＩＯＭ１２０は、内部タイマーを備えている。パワーアップすると、即座に、各ＩＯＭ１２０は、ＰＳＭ１１２に時刻要求命令を送る。時刻要求命令に応答して、ＰＳＭ１１２は、ＩＯＭ１２０に宛てた時刻放送を送出する。さらに、ＰＳＭ１１２は、ＩＯＭ１２０に保たれている時刻を更新するためにネットワーク内の全てのＩＯＭ１２０に定期的な時刻放送を送出する。
【００２９】
ＩＯＭシステムブロック図３００は、ＩＯＭ電源３５２とインターフェイス３３２を経て２−線バス１１６と間接的に通じている第２のＡＳＩＣ３１６を備えている。インターフェイス３３２は、第２のＡＳＩＣ３１６の出力信号を調整するために、システム１００内の他の部材からの信号と命令を受けるように構成される。更に、インターフェイス３３２は、また、２−線バス１１６上に現れるあらゆる低インピーダンス負荷を駆動するために電力増幅を行う出力増幅器を備えている。それが情報を伝えていないとき、増幅器は、低電力モードにある。増幅器は、ＡＳＩＣ３１６における信号対雑音比を大きくする入力フィルタを更に備えている。入力フィルタは、所定の周波数帯の外にあるどんな信号をも除去する。しかし、フィルタは、信号を所望の帯域幅内の所定の量より多い量だけ減衰させず、一般に一定のグループ遅延を有する。増幅器は、また、増幅器が受信しているとき、出力段を入力フィルタから分離する出力インピーダンス制御スイッチを備えている。双方向性連結回路３４４がインターフェイス３３２と２−線バス１１６を橋絡する。
【００３０】
第２のＡＳＩＣ３１６は、さまざまな方法で２−線バス１１６とＳＰＩポート２３２を経てプログラムされることができる。一旦、ＡＳＩＣ３１６がプログラム信号があると認識すると、ＡＳＩＣ３１６はプログラミング・モードに入り、データと命令を受けるために待つ。プログラミング信号がリセットされるとき、ＡＳＩＣ３１６はデータと命令の受信を終了して、通常に作動する。
【００３１】
図１、２および３をもう一度参照すると、ＰＳＭ１１２は、またシステム１００のトポロジを管理するように構成されている。例えば、ＰＳＭ１１２は、１０８および１１０などの装置に対する属性アドレスを持っている。装置リストは、ＰＳＭ１１２のメモリ２５２または２６２内にある。例えば、ＬＯＣＫがアドレス０ｘＡ０を使用する場合、装置リストの０ｘＡ０エントリは  装置タイプとしてＬＯＣＫを含むであろう。装置リストは、迅速にシステム１００上のあらゆる装置を見出すために非常に有用である。
【００３２】
結果として、システム１００にあるあらゆる入出力（「Ｉ／Ｏ」）は、インスタンスまたはアドレスによって特定される独特の名前を備えている。ＰＳＭ  １１２がアドレスをＩＯＭ１２０に割り当てるとき、ＰＳＭ１１２は、また、独特のインスタンスを各入力３０４および出力３０８に対して決める。ＰＳＭ  １２０のＩ／Ｏインスタンス・リストは、デバイスおよびインスタンスを結びつけるために使用できる。具体的には、これらのリストの中に入出力インスタンスのためのエントリがある。リストの第１の要素はインスタンス１で、最後のエントリは許されるかまたは利用できる最大数のインスタンスである。例えば、アドレス０ｘＡ０をもつＩＯＭ１２０が二つの入力（インスタンス１およびインスタンス２）を有する場合、Ｉ／Ｏインスタンス・リスト上の最初の二つのエントリは０ｘＡ０および０ｘＡ０となる。インスタンス０ｘＡ１をもつＩＯＭ１２０が加えられる場合、およびＰＳＭ１１２がインスタンス３および４をインスタンス０ｘＡ１をもつＩＯＭ１２０に割り当てる場合、Ｉ／Ｏインスタンス・リスト上の最初の四つのエントリは、０ｘＡ０、０ｘＡ０、０ｘＡ１および０ｘＡ１となる。このようにして、ＰＳＭ１１２は、メモリ２５２または２６２の中にシステム１００のＩＯＭ１２０の全ての入力および出力のリストを保有する。結果として、メモリ２５２または２６２内に記憶されたＩ／Ｏインスタンス・リストは、デバイスおよびインスタンスを結びつけるために使用できる。すなわち、システム１００の各入力または出力について、対応するエントリが、Ｉ／Ｏインスタンス・リストの中にある。
【００３３】
図３をもう一度参照すると、ＩＯＭ１２０の特定用途向け集積回路（「ＡＳＩＣ」）３１６は、ＩＯＭ１２０の動作を指示する。具体的には、ＡＳＩＣ３１６は、データをＩＯＭ１２０の他の部分に対して送受信するように構成された複数のＩ／Ｏバッファ３２０を備えている。更に、ＡＳＩＣ３１６は、また、プログラム命令およびデータを複数の内蔵型メモリモジュール３２８から検索するプロセッサ３２４を備えている。次に、ＩＯＭ１２０のメモリ復号器３３０がデータおよび命令を復号する。その後で、プロセッサ３２４は、復号命令およびデータを調整して処理し、システム１００の作動状態に従って命令を実行し、入力と動作状態の組合せに応じて出力を発生する。
【００３４】
ＩＯＭ１２０は、２−線バス通信インターフェイス３３２を経てＰＳＭ１１２と連絡する。例えば、インターフェイス３３２は、出力信号増幅、出力信号フィルタリング、ノード入力インピーダンス制御、入力信号フィルタリングを含む機能を行う。具体的には、インターフェイス３３２は、ＡＳＩＣ３１６および送電線カプラ３４４に双方向的に結合されている。送電線カプラ３４４は、２−線バス１１６に更に連結されている２−線送電線３３４の一方に二方向に連結されている。カプラ３４４は、入力３３４から被変調信号を復調もしくは復号し、またはインターフェイス３３２から送電線３３４に行くデータを変調もしくは符号化する。このようにして、デバイス１１０のような新規な２−線デバイスがシステム１００に加えられるべきとき、ユーザは２−線送電線３３４をバス１１６に連結することをまさに必要とする。バス１１６に連結するＰＳＭ１１２は、その後で、それをそれのインスタンス・リストに加え始める（詳細は、あとで説明する）。２−線送電線３３４は、また、ＰＳＭ  １１２からの他の情報の中のプログラマブル論理を受けることのほかに、てＩＯＭ  １２０の動作用の電力を運ぶ。しかし、被接続デバイスのパワー極性は、デバイス１０８または１１０がシステム１００に接続されるたびに異なってもよい。結果として、パワー・ブリッジ整流器３４８がどの極性にも対応するように構成される。極性に鈍感なまたは整流器３４８の極性に関係のない電力は、保護付出力３４０およびパワー・ダウン検出回路３５６を含むＩＯＭ１２０のパーツに与えられる。整流器３４８からの清流電力は、また、電源調節装置３５２においてまた調整される。
【００３５】
ＩＯＭ１２０には、また、複数の入力回路３３６がある。入力３０４は入力回路３３６に連結され、入力回路３３６の出力はＡＳＩＣ３１６のＰＯバッファ３２０に送られる。入力回路３３６は、２４ＶＤＣと０ＶＤＣの間のある電流電圧信号を検出するように構成されている。回路３３６が入力電圧閾値を与えるが、それはまた入力電圧閾値より高い最大連続入力電圧を与えることができる。
【００３６】
ＩＯＭ１２０は、保護回路３４０によって保護された複数の保護付離散的汎用出力３０８を更に備えている。保護回路３４０は、それの入力をプロセッサ３２４からＡＳＩＣ３１６のバッファ３２０を経て受け、それの整流電力を整流器３４８から受け、そして作動命令をそれの関連のデバイス１０８または１１０へ出力３０８を通して出力する。保護回路３４０は、出力ごとに所定の閾値で起動される。具体的には、保護回路３４０のフィードバック回路は、過剰電圧または過電流が出力３０８にある場合、出力電流を減少させるように構成されている。フィードバック回路は、また、ＡＳＩＣ３１６に診断信号を送る信号を送って出力３０８のどれかが短絡または開路になっているかどうかを知らせる。さらにまた、各出力３０８は熱制限回路を備えており、それは過電流状態と関連している接合部温度の上昇を検出する。過電流または短絡状態が持続する場合、熱制限回路は対応する故障出力３０８を切る。高パワーモジュールが必要な場合、高電流突入回路３１２はＩＯＭ１２０の出力３０８に直列に加えられる。
【００３７】
図１をもう一度参照すると、ＰＳＭ１１２は、種々の方法で同じように構成できる。例えば、ＰＳＭ１１２がどんな環境設定・データをも含まず、ユーザ・インターフェイス構成によってオフラインでプログラムされる場合、三つの異なる構成経路がある。具体的には、ＰＳＭ１１２が環境設定・データを含まない場合、ＰＳＭ１１２は、プログラム・ツール１３２がシステム１００に２−線１１６を経て接続されていたかどうか決めるために検査する。プログラム・ツール１３２が接続されていた場合、プログラム・ツール１３２の中に記憶された予め組み込んだかまたは予めプログラムされた環境設定・データはＰＳＭ１１２に転送されるかまたはアップロードされる。次に、ＰＳＭ１１２は、別の２−線システムの一部でない何かなくなったＩＯＭがあるかどうかを決める。なくなったＩＯＭがある場合、ＰＳＭ１１２は、既存のＩＯＭ１２０を予め組み込んだ待機状態に残し、プログラム・ツール１３２（まだ取り付けられている場合）は、なくなったデバイスがあることを表示する。構成プロセスは、リセットされて再開する。しかし、全てのＩＯＭ１２０がある場合、ＰＳＭ１１２は、何かデバイスの重複があるかどうかを調べるために検査を行う。重複がない場合、ＰＳＭ１１２は、システム１００のＩＯＭ１２０に以前にロードされた環境設定・データを転送し続ける。次に、システム１００は、環境設定される。一方、デバイスの重複がある場合、ユーザはＰＳＭ１１２に列挙された重複を、プログラム・ツール１３２がまだ取り付けられる限り、プログラム・ツール１３２を用いて解決できる。解決された環境設定は、次に、ＩＯＭ１２０へ転送され、システム１００は環境設定される。
【００３８】
プログラム・ツール１３２が予めプログラムされていなかったかまたは予め組み込んだ情報を含まない場合、プログラム・ツール１３２は、システム１００をオンラインでプログラムするために使用できる。プログラム・ツール１３２はユーザをユーザ・インターフェイス・ウィザード（以下に詳述する）を使用してＰＳＭ１１２およびシステム１００を環境設定するように導く。環境設定は、その後で、プログラム・ツール１３２からＰＳＭ１１２へ、そして更にＩＯＭ１２０に転送される。次に、システム１００は、環境設定される。
【００３９】
ＰＳＭ１１２が若干の環境設定・データを含む場合、プログラム・ツール１３２は、次に、データが一般的であるかどうかを特定のＩＯＭの通し番号を調べることによって決め続ける。ＰＳＭ１１２が特定のＩＯＭ通し番号を含まない場合、プログラム・ツール１３２は、全てのＩＯＭがあるかどうかを決めるために検査をする。どれかなくなったＩＯＭがあれば、ＰＳＭ１１２が予め用意した待機中状態に既存のＩＯＭ１２０を残し、プログラム・ツール１３２（まだ取り付けられている場合）は、なくなっているデバイスを表示する。環境設定・プロセスは、リセットされて、再開する。全てのデバイスがある場合、プログラム・ツール１３２はデバイス重複について検査する。デバイス重複がない場合、ＰＳＭ１１２は環境設定・データをＩＯＭ１２０へ転送し、システム１００は環境設定される。しかし、デバイス重複がある場合、ユーザは、プログラム・ツール１３２がまだ取り付けられている限り、ＰＳＭ１１２内に挙げられた重複をプログラム・ツール１３２を用いて解決できる。解決された環境設定は、ＩＯＭ１２０へ次に転送され、システム１００は環境設定される。
【００４０】
更に、ＩＯＭの通し番号が分かっている場合、プログラム・ツール１３２はなくなったＩＯＭデバイスについて再び検査る。なくなったデバイスがある場合、電力は２−線バス１１６から除かれる。一方、全てのデバイスがある場合、ＰＳＭ１１２は、次に、環境設定・データをＩＯＭへ転送し、システム１００は環境設定される。
【００４１】
新しいＰＳＭが既存のＰＳＭ１１２に入れ替わるべき場合、本発明は、システム１００を再プログラムする必要なく、ＰＳＭの交換を考慮に入れている。第１に、新しいＰＳＭにそれの取付け前にセットされた予め組み込んだ環境設定がない場合、新しいＰＳＭは、すでに環境設定されたデバイスがシステム１００にあるかどうかを検査する。環境設定されたデバイスがシステム１００にある場合、新しいＰＳＭ１１２は、それがすでに環境設定されたシステム１００に加えられていたことを知り、ＩＯＭ環境設定をアップロードし始めるであろう。このモードは、ＰＳＭが別のものと交換される必要があるとき用いられる。この場合、システムを再プログラムする必要がない。
【００４２】
具体的には、新しいＰＳＭ１１２が既存のＩＯＭ１２０が環境設定されたデータを持っていると判定される場合、環境設定されたＩＯＭ１２０は、ＩＯＭリストを新しいＰＳＭ１１２に転送する。次に、新しいＰＳＭ１１２は、環境設定されたＩＯＭ１２０からのＩＯＭリストをシステム１００にある実際のＩＯＭ１２０と比較する。何かのＩＯＭがなくなっていると判定される場合、プログラム・ツール１３２（まだ取り付けられる場合）は、なくなったデバイスを表示し、新しいＰＳＭ１１２はリセットされる。ＰＳＭ交換プロセスは再開する。全てのデバイスがある場合、新しいＰＳＭ１１２は、環境設定・データまたは予め組み込んだデータを全ての既存のＩＯＭ１２０から得て、システム１００はもう一度環境設定される。
【００４３】
環境設定されたシステム１００では、ＰＳＭ１１２は、応答のないＩＯＭ１２０を同じ製造業者のモデル番号を有する別のものと交換できる。初期化するとすぐ、ＰＳＭ１１２は、全ての環境設定されたＩＯＭ１２０があることを確かめる。さもなければ、それは交換ＩＯＭを捜す。交換ＩＯＭがない場合、メモリ２５２内の対応するアドレスは行方不明に設定され、システム１００は故障モードに落ちる。
【００４４】
新しいまたは環境設定されていないＩＯＭは、ＰＳＭ１１２がその特定のＩＯＭ１２０のための環境設定を実行するまで定期的に環境設定要求を送る。一旦環境設定・プロセスが完了すると、新しく環境設定されたＩＯＭ１２０は解放された状態にセットされる。（解放されたＩＯＭは、それのプログラマブル論理を実行せず、システム１００内の他のデバイスにそれのＩ／Ｏ状態を分けない。解放されたＩＯＭを環境設定されたＩＯＭに戻すために、環境設定ツール１３２が用いられる。受けた環境設定要求がＰＳＭメモリ２５２内にすでに挙げられたＩＯＭ１２０からである場合、ＩＯＭ１２０の設定値は自動的に回復される。
【００４５】
Ｉ／Ｏインスタンス・リストおよびデバイス・リストのほかに、ＰＳＭ１１２は、また、メモリ２５２内のＩＯＭ１２０の環境設定状態のコピーを保有する。場合によっては、メモリ２５２内に記憶されタ状態は、ＩＯＭ１２０のメモリ３２８内に記憶された状態にマッチすることがある。例えば、インスタンスは、ＰＳＭ１１２がＩＯＭ１２０と対応していないとき、自由状態にセットされる。インスタンスは、環境設定されたデバイスがなくなっているとき、前述のように欠損状態にセットされる。交換ＩＯＭが見つからない場合、デバイスは故障モードにある。特に、ＰＳＭ１１２は、ＩＯＭ１２０が予め組み込んだ環境設定プロセスの間消えるとき、またはＰＳＭ１１２が故障の検出された環境設定済みＩＯＭ１２０を回復できないとき、インスタンスを欠損状態にセットする。予め用意した状態の間、環境設定ツール１３２は、インスタンスを予め用意した状態にセットし、ＩＯＭ１２０は、予め用意した環境設定が実行されるまで、予め用意した状態に留まる。更に、インスタンスは、ＩＯＭ１２０のハードウェアが故障しているとき、損壊状態にセットされる。損壊状態は、それが故障前の状態の値に適用されるマスクにすぎないので、他のものと異なる。例えば、故障より前の状態が環境設定されて、０ｘ３０の値を有し、損壊マスクが８０ｈである場合、故障後の結果として生ずる値はＢ０ｈになるであろう。損壊マスクは、ＰＳＭが初期化されると直ちに消される。損壊状態は、鼓動が６秒以内に受けられないとき、またはＩＯＭ１２０とＰＳＭ１１２の間の通信が途絶えるときセットされる。
【００４６】
ＰＳＭ１１２は、また、ＩＯＭ１２０を環境設定されたシステム１００から故障を引き起こすことなく除去する方法を与える。ＩＯＭ１２０を除去する前に、ＰＳＭ１１２は、ＩＯＭ１２０のＩ／Ｏインスタンスがどのプログラマブル論理においても使われず、Ｉ／Ｏインスタンスがシステム１００内の他のＩＯＭによって外部的にマップされないと判定する。次に、ＰＳＭ１１２は、ＩＯＭ１２０の環境設定を解除し続け、それにより全ての環境設定されたＩＯＭ１２０をオフラインの状態にセットする。それらのプログラマブル論理を実行するために、ＩＯＭ１２０は、環境設定された状態に戻される。除去されたＩＯＭインスタンスがリセットされると、ＩＯＭ除去プロセスは完了する。
【００４７】
本発明は、また多重ＰＳＭシステムを考慮に入れている。多重ＰＳＭシステムにおいて、複数のＰＳＭをスター・パターンまたはデイジーチェーン配置にＴＰインターフェイス１２８（図１の）を用いてつなぎ合わせることができる。ツイスト・ペア線のような通信媒体を  ＰＳＭ１１２のＴＰモジュール１２８を連結するために使用できるので、それによって多重ＰＳＭシステム内のデバイスの間の通信を可能にする。
【００４８】
図４は、多重ＰＳＭシステム４００の例示的なネットワークを示している。多重ＰＳＭシステム４００は、第１のＰＳＭ４０４、第２のＰＳＭ４０８および第３のＰＳＭ４１２を備えている。第１のＰＳＭ４０４は、通し番号５５５５６６６を有し、環境設定ツール４１６に連結されている。第２のＰＳＭ４０８は、通し番号ＡＡＢＢＣＣＤＤを有し、第２のＰＳＭメモリ４２８を有するボタン入力ＩＯＭデバイス４２０に連結されている。第３のＰＳＭ４１２は、通し番号１２３４１２３４を有し、第３のＰＳＭメモリ４３２を有するホーン出力ＩＯＭデバイス４２４に連結されている。多重ＰＳＭシステム４００は、一つのＰＳＭに連結された入力装置の別のＰＳＭに連結された出力装置上への写像を可能にする。従って、例えば、ボタン入力ＩＯＭデバイス４２０の入力インスタンスは、それの出力インスタンスを環境設定ツール４１６のあるホーン出力デバイス４２４に写像できる。一旦ツール４１６を用いて写像されると、ボタン４２０はホーン４２４を起動できる。
【００４９】
多重ＰＳＭシステム４００がＰＳＭ４０４、４０８および４１２に連結するその他の入出力装置を含んでいてもよいことは、当業者にとっては明らかであろう。具体的には、ユーザは、デバイス４２０および４２４の写像を実行する遠隔写像マッピング要求５００（図５に示すように）を送るために第１のＰＳＭ４０４に連結する環境設定ツール４１６を使用できる。図５に示すように、遠隔写像要求５００は、宛先アドレス・セグメント（「Ｄｅｓｔ．Ａｄｄｒ」）５０４に記憶されたアドレス０１ｈおよび通し番号セグメント（「ＰＳＭ−Ｓ／Ｎ」）５０８に記憶された通し番号ＡＡＢＢＣＣＤＤｈを含む。要求５００を受信するとすぐに、第２のＰＳＭ４０８は、それのメモリ４２８内に入力インスタンス０１が存在するかどうかおよびインスタンス０１が第３のＰＳＭ４１２にまさか写像されていなかったことを確認する。次に、第２のＰＳＭ４０８は、第３のＰＳＭ４１２に写像要求命令を送る。写像リクエスト命令の受信に応じて、第３のＰＳＭ４１２は、メモリ４３２内の利用できる入力インスタンスを見出そうとする。ある入力インスタンスがメモリ４３２において利用できる場合、第３のＰＳＭ４１２は、メモリ４３２内の利用できる入力インスタンスを識別した結果を第２のＰＳＭ４０８に伝える。利用可能性の受信に応じて、第２のＰＳＭ４０８は、写像を完了したことを確認するために遠隔要求結果を第１のＰＳＭ４０４に送り返す。ユーザは、直ちに、ボタン４２０でホーン４２４を制御できる。
【００５０】
一般に、ＰＳＭ１１２、ＩＯＭ１２０およびデバイス１０８、１１０を含むシステム１００の入力および出力は、プログラマブルブール論理によって規定される。ブール論理は、環境設定ツール１３２を用いて遠隔で環境設定されることができる。ブール論理は、一組の機能ブロック、タイマーおよび論理演算子を含む。出力は、プログラムされた論理およびシステム１００内の複数のＩ／Ｏ状態に従って管理される。しかし、追加の作用が好まれる場合、ユーザは、環境設定ツールを経て諸作用をＩＯＭ１２０にプログラムするオプションを有する。さらに、プログラマブル論理は、主に出力ドライブされる。各システム出力には、関連したプログラマブル論理がある。プログラマブル論理は、条件、システム入力および若干の機能ブロックの組合せを表す。これらの条件は、バッカス記法（ＢＮＦ）を用いて記載されている。しかし、ＡＬＰＨＡ、ブロック構造言語、ＦＯＲＭＡＣ、ＩＩＴＲＡＮ、ＬＰＬおよびＰＬ／１のような他の意味表示も使用できる。
【００５１】
プログラマブルブール論理の入力値は、例えば、通常ハードウェア状況、ボタンまたはセンサと関連している。しかし、プログラマブル論理内の他の入力値（例えば、入力と関連しているアドレス指定の入力インスタンスまたはコンテンツを含むことも可能である。例えば、入力インスタンスを論理インジケータとして使うことができる。換言すれば、入力インスタンスをまた判定ブール論理パラメータの一部として用いることもできる。
【００５２】
一般に、２種類の作用（「セット」および「クリア」）を各デバイス１０８、１１０の出力で実行できる。２つの作用の各々がデバイスの何かの機能に対応する。例えば、セット作用が呼び出されると、特定の錠を下ろしてもよい。別の例として、クリア作用が呼び出されると、特定の錠を明けてもよい。これらの作用は通常局所的に実行され、対象とする出力がデバイス１０８、１１０に組み込まれていることを意味する。さらに、「セット」出力は出力を付勢し、一方、「クリア」出力は出力への通電を断つ。
【００５３】
図６は、２入力と１出力を含む例示的なブール論理６００を示す。この例において、二つのボタンを押すと、ドアを開けることを要求する。一般に、ドア錠モジュールＩＯＭは、解錠作用の役割を果たす。ドア錠モジュールは、それの入力でボタン・デバイスを表すブール論理を受ける。ボタン論理に反応するために、ドア錠モジュールＩＯＭは、例示的な解錠ブール論理６００を実行する。解錠ブール論理６００は、条件セグメント６０４および局部作用セグメント６０８を備えている。この例において、ボタンを示している論理が真であるとき、ドア錠モジュールＩＯＭはデバイス特定の作用（すなわち、ドアの開錠）を実行する。デバイスによっては作用を起動させるためにより複雑な条件を必要とするものがあることは当業者にとって明らかであろう。これらの条件は、時刻、複数の入力状態および出力状態の組合せに基づくだろう。例えば、システムは  入力Ｂおよび入力Ｃが５秒以上の間オンであるときからドアＡを付勢する必要があるかもしれない。この例における条件は、特定の期間の間二つの入力の同時存在を確認する。
【００５４】
システム１００のプログラミングは、一般に、複数のユーザ・インターフェイス（例えば、デスクトップ・コンピュータ、ラップトップ・コンピュータ、パームトップ・コンピュータ、携帯デバイス、ポケット・コンピュータ等）を使用して実行されることができる。メイン・メニュー７２０を環境設定ツール１３２（図１の）に表示している例示的なユーザ・インターフェイス７００が図７に示されている。例えば、ユーザがシステム内にデバイスをセットアップする必要がある場合、ユーザは環境設定ツール１３２にあるメイン・メニュー７２０上の複数のアイコンまたはオプションから選択することができる。アイコンまたはオプションは、ハードウェア・セットアップ・アイコン７２４、試験およびトラブルシューティング・アイコン７２８、システムタスクおよび選好アイコン７３２、最新式ハードウェアセットアップ・アイコン７３６、およびゾーン管理アイコン７４０を備えている。各アイコンは、特定のプログラム過程を介してユーザを誘導する。例において、ハードウェア・セットアップ・アイコン７２４は、一旦、タブを付けられるかまたは選択されると、ユーザがデバイス・セットアップを誘導プロセスで創るかまたは編集することができるようにする。リターンキーを入れることを含む他の選択方法を用いることもできる。
【００５５】
誘導プロセスが図８に示すようにハードウェア・セットアップ・ディスプレイ７４４に入ったあと、ユーザは、新規なハードウェア・セットアップ・オプション７４８および編集ハードウェア・セットアップ・オプション７５０を提示される。新規なハードウェア・セットアップ・オプション７４８がタブを付けられるかまたは選択されたあとで、標準のオプション７５４（図９に示すような）を含んでいる五つのサブ−オプションを挙げている新規ディスプレイ７５２が示されている。標準のオプション７５４が指定または選択された場合、単一のドア・オプション７５８および両開き戸オプション７６０を列挙している標準の画面７５６が示される（図１０に示されている）。一旦単一ドア・オプション７５８が選択されると、環境設定ツール１３２は、次に、利用できるハードウェア種目をシステムに表示する。図１１に示されているように、３種類のハードウエア・デバイスが利用できる。これらには、モデル番号ＤＳ４０１０の磁気錠７６２、モデル番号ＫＳ９２０Ｌのキースイッチ７６４、およびモデル番号ＰＢ７２０Ｌのボタン錠７６６がある。磁気錠７６２がロックハードウェアとして選択されたあと（図１２に示されている）、次に、環境設定ツール１３２は、ユーザが解錠モジュールを選択するオプションを与えることができる。例えば、キースイッチ７６４およびボタン錠７６６は、解錠モジュールとして使用できる。すなわち、ドアは、  許可されたユーザがこれらのデバイスを作動させるとき解錠される。施錠ハードウェアが選択されたあと、図１３に示すように、環境設定ツール１３２は、また、ドア状況ハードウェア・画面を介してドア状況を指示するように促す。ドア状況ハードウェアは、ドアが開位置にあるかまたは閉位置にあるかどうか、または施錠デバイスが施錠されているかまたは解錠されているかどうかをモニタする。ユーザは、次に、ドアの状況を表示するための視覚インジケータでハードウェアの種目を選択するためまたは終了アイコン７６８を指定または選択することによって標準のハードウェア・セットアップを終えるためのオプションを有する。視覚インジケータは、ドアが物理的に閉っているか、開いているか、施錠されているか、開錠されているかまたは何か他の状態にあるかどうかを表示することができることを留意しておくべきである。
【００５６】
メイン・メニュー７２０は、また、前述のように、他のオプションをも提供する。例えば、試験およびトラブルシューティング・オプション７２８によって、ユーザが開口と関連しているハードウェア装置を調べて試験したり、またはとりわけデバイスのゾーンまたはネットワークと関連しているハードウェア装置を調べて試験したりできる。試験およびトラブルシューティング・オプション７２８の例示的なディスプレイ８００が図１４に示されている。ディスプレイ８００は、合計三つのオプション、すなわち、開口観察オプション８０２、ゾーン観察オプション８０４、および監査ログ観察オプション８０６を列挙している。さらに詳しくいえば、ゾーン観察オプション８０４によって、ユーザがネットワークまたはゾーンに利用できる全てのハードウェア装置を観察して試験することができる。例えば、図１５に示されているように、本システムは、ホーン８１０、磁気錠８１２、退出デバイス８１４、照明付キースイッチ８１６および押しボタン８１８を利用できる。ユーザは、次に、これらのデバイスへの入力および出力を試験することができる。
【００５７】
メイン・メニュー７２０は、またユーザがネットワーク・パスワードを変更、デバイスを削除、およびネットワークのアップグレードをすることができるようにするシステム作業および選好オプション７３２を含む。ゾーン管理オプション７４０は、例えば、ユーザがデバイスをシステムに追加し、新規システムを作って、システムの名前を変えることができるようにする。ユーザは、また、本システムを例えば、最新式ハードウェア・セットアップ・オプション７３６を用いてアラームを作動させるように環境設定ツール１３２を介してプログラムすべきである。
【００５８】
他のボデー（例えばデバイス内の第２の２次オプションを表すオプション・ボデー、テキストが表示されて入れられるテキスト・ボデーおよび  システム１００内のデバイスとＰＳＭ時刻を同期させるための時刻同期ボデー）もまたユーザに利用できる。
【００５９】
本発明を二、三の好ましい実施例に関して詳述したが、異形および変更が特許請求の範囲の中に記載され限定された本発明の範囲および趣旨の中にある。
【００６０】
本発明の種々の特徴および効果は、特許請求の範囲に記載されている。
【産業上の利用可能性】
【００６１】
本発明は、多数の出入り口があり、それらの出入り口の開閉を監視し、保安処置を必要とするビルディング、建物群のある施設などに広く利用可能である。
【図面の簡単な説明】
【００６２】
【図１】本発明による電子セキュリティ・システムのブロック図を示す。
【図２】図１の電子セキュリティ・システムの２−線電源の電源モジュールを含む詳細ブロック図を示す。
【図３】図１の電子セキュリティ・システムの入出力モジュールのブロック図を示す。
【図４】つなぎ合わされた多重電源モジュールを含む本発明による例示的なネットワークを示す。
【図５】図４のネットワーク内で送られる遠隔写像要求パケットを例示する。
【図６】図１のシステムにおいて使用された例示的なドア錠ブール論理を例示する。
【図７】図４の携帯デバイスの画面に現れるようなメイン・メニュー示す例示的なユーザ・インターフェイスを示す。
【図８】図４の携帯デバイスに現れるようなハードウェア・セットアップ画面を示す。
【図９】図４の携帯デバイス上に現れるような新規ハードウェア・セットアップ画面を示す。
【図１０】図４の携帯デバイスに現れるような開口部選択画面を示す。
【図１１】図４の携帯デバイス上に現れるようなドアのためのハードウェア種目選択画面を示す。
【図１２】図４の携帯デバイスに現れるような施錠ハードウェア選択画面を示す。
【図１３】図４の携帯デバイスに現れるようなドア状態表示選択画面を示す。
【図１４】図４の携帯デバイスの画面に現れるような試験およびトラブルシューティング画面を示している例示的なユーザ・インターフェイスを示す。
【図１５】図４の携帯デバイス上に現れるような本システムにおいて利用できる複数のデバイスを列挙しているゾーン観察画面を示す。
【符号の説明】
【００６３】
１０４      ２−線電源
１１２      電源モジュール
１２４      直列周辺インターフェイスポート
２０４      交流入力ポート
２１２      ２−線出力ポート
２３６      ＰＳＭ対ＰＳＭ通信インターフェイスポート
２４４      ポケットＰＣポート
３０４      入力
３０８      保護付離散出力
３１６      用途特定集積回路
３２４      プロセッサ
３３２      インターフェイス
３３４      送電線
３４４      送電線カプラ
３４８      整流器
３５２      ＩＯＭ電源
【図１】
2005332406.tif 000003
【図２】
2005332406.tif 000004
【図３】
2005332406.tif 000005
【図４】
2005332406.tif 000006
【図５】
2005332406.tif 000007
【図６】
2005332406.tif 000008
【図７】
2005332406.tif 000009
【図８】
2005332406.tif 000010
【図９】
2005332406.tif 000011
【図１０】
2005332406.tif 000012
【図１１】
2005332406.tif 000013
【図１２】
2005332406.tif 000014
【図１３】
2005332406.tif 000015
【図１４】
2005332406.tif 000016
【図１５】
2005332406.tif 000017